(57)【要約】      （修正有）【課題】和室であっても容易に取り付けが可能で、かつ、大人が体重をかけて安心して掴まることができる手摺りであって、高齢者や足腰の不自由な人の立ち居を容易にして日常生活の負担を軽減する手摺りを提供する。【解決手段】畳の裏面と床板との間に敷き込み可能な平板状に形成された敷込部３と該敷込部から上方に立設された平板状の立設部４とを備え、立設部及び敷込部にそれぞれ重ねて帯板が固着されてなる手摺り１を提供する。【選択図】図１
0003159773.tif 000002
【実用新案登録請求の範囲】
【請求項１】
畳の裏面と床板との間に敷き込み可能な平板状に形成された敷込部と、
該敷込部から上方に立設された平板状の立設部と、
該立設部の上部に形成された手摺取付部と
を備える手摺り本体を有し、
前記手摺取付部には棒体状の手摺棒が固定され、
前記手摺り本体の幅方向両側部の、立設部及び敷込部にそれぞれ重ねて帯板が固着されてなる
ことを特徴とする手摺り。
【請求項２】
前記手摺取付部は、立設部の上部に上下二段に分けて上段手摺取付部及び下段手摺取付部を形成し、
上段手摺取付部及び下段手摺取付部に、それぞれ手摺棒が固定されてなる
ことを特徴とする請求項１に記載の手摺り。
【考案の詳細な説明】
【技術分野】
【０００１】
本考案は、一般家屋に取り付けられる手摺りに係り、特に、畳の部屋等における高齢者や足腰の不自由な人の立ち居を容易にし得る手摺りに関する。
【背景技術】
【０００２】
高齢者や身体に障害がある人が居住する家屋においては、歩行を補助するために手摺りが設置される。この手摺りは棒状で、階段、廊下、浴場、及びトイレといった日常生活で移動しなければならない経路の各所に取り付けられる。高齢者や身体障害者は、この手摺りを把持することで、よろめいたり転倒することなく歩行することができるものである。
【考案の概要】
【考案が解決しようとする課題】
【０００３】
一方、和室では、直接畳の上に布団や座布団を敷くため、洋室にベッドや椅子を設置している場合と異なり居住者は床へ直接腰を下ろした状態から立ち上がる動作が頻繁に生じる。よって、足腰が弱っていたり不自由な人が、床に就いた状態や座った状態の低い姿勢から立ち上がる時に、何も把持するものがないと大変な負担になるため、他者の介添えを要することがあった。また、立った状態から座ったり床に就く時も同様に、高い姿勢から低い位置に身を屈めるのが苦痛となることがあった。
【０００４】
しかし、日本の家屋で主流の和室には、構造上、屋内に手摺りなど掴まるところがないのが通常であり、柱に手摺りを打ち付けることに対しても好まれないのが一般的である。特に、和室の中央部において、手摺りを取り付けることは困難であった。このため、和室には何も把持するものが設置されていないことが多く、高齢者や足腰の不自由な人が生活するうえで支障を来たしている。
【０００５】
本考案は、上記課題に鑑みてなされたもので、和室であっても容易に取り付けが可能で、かつ、大人が体重をかけて安心して掴まることができる手摺りであって、高齢者や足腰の不自由な人（以下、使用者という。）の立ち居を容易にして日常生活の負担を軽減することを目的とする。
【課題を解決するための手段】
【０００６】
上記課題を解決するため、本願に係る手摺りは、畳の裏面と床板との間に敷き込み可能な平板状に形成された敷込部と、該敷込部から上方に立設された平板状の立設部と、該立設部の上部に形成された手摺取付部とを備える手摺り本体を有し、前記手摺取付部には棒体状の手摺棒が固定され、前記手摺り本体の幅方向両側部の、立設部及び敷込部にそれぞれ重ねて帯板が固着されてなることを特徴とする。
【０００７】
敷込部は厚みの薄い平板によって形成されていることが好ましい。これにより、敷込部を畳の裏面と床板との間に敷き込んだ際には畳が上方向に浮き上がることを最小限に抑えることができる。
【０００８】
また、立設部も厚みの薄い平板によって形成されていることが好ましい。ここで、立設部の下部分であって少なくとも立設部下端から畳の厚みに相当する高さまでは平坦な平板状に形成されることが好ましい。これにより、畳と畳との境界部分若しくは畳と壁との境界部分を介して、立設部を床板面から畳表面上方に突出させることができる。
【０００９】
敷込部から上方に立設された立設部は、敷込部の上面に溶接、又はネジ止め等の接続方法により接続されて立設されてもよいが、手摺り本体が一枚の板体からなり、当該板体を直角に屈曲して敷込部と立設部とを形成することがより好ましい。敷込部と立設部とを一枚の板体から形成することにより、敷込部と立設部との境界部分に溶接などの工程が不要で製作容易となる。
【００１０】
敷込部は立設部の正面方向にのみ水平に延出するように形成されてもよく、立設部の正面方向及び後面方向に水平に延出するように形成されてもよい。
【００１１】
敷込部を立設部の正面方向にのみ延出させると、敷込部と立設部をＬ字構造に形成することができるため、和室の壁面に沿って本願に係る手摺りを設置するのに好適である。
【００１２】
敷込部を立設部の正面方向及び後面方向に延出させると、正面側及び後面側のいずれの方向に対する力に対しても安定に手摺りを設置することができる。
【００１３】
立設部の上部に形成されている手摺取付部は、別途新たな部材を立設部の上部に取り付けて手摺取付部を形成してもよく、また、一枚の板体から一体に形成されている立設部の上部自体に手摺棒を固定可能となるよう手摺取付部として形成しても好ましい。
【００１４】
手摺取付部は、使用者の膝から胸の高さに形成されることが好ましい。このような高さに形成すれば、手摺取付部に固定した手摺棒を使用者が把持して使用する際に、手摺棒が使用者の動作を補助する働きを効果的に発揮することができるからである。
【００１５】
手摺棒は、手摺取付部に接着、溶着、若しくはネジ止めによって固定されることが好ましいがその他の固定方法によって固定してもよい。
【００１６】
手摺取付部は、手摺棒を固定するために任意の形状に加工されていることができる。特に、手摺棒の外面形状に合わせて湾曲若しくは屈曲した部分を形成することにより手摺棒の取り付けの安定性を確実にすることが好ましい。
【００１７】
敷込部と立設部とからなる手摺り本体の幅方向両側部の、立設部及び敷込部にはそれぞれ重ねて帯板が固着されている。ここで、手摺本体の幅方向は、敷込部の上面と立設部の下端とが形成する境界線と平行な方向をいう。
【００１８】
帯板を固着する方法は溶接でもよく、接着剤による接着でもよく、また、ネジ止めによってもよい。
【００１９】
帯板は一枚の板体を直角に屈曲して形成されたＬ字状板であることが好ましい。そして帯板を、敷込部の上面及び立設部の前面に重なるように固着させることが好ましい。これにより、使用者が体重をかけながら手摺りを把持した場合にも立設部が変形することを防止することができる。
【００２０】
また、手摺取付部は、立設部の上部に上下二段に分けて上段手摺取付部及び下段手摺取付部を形成し、上段手摺取付部及び下段手摺取付部には、それぞれ手摺棒が固定されてなるように構成することが好ましい。
【００２１】
このような構成により、上段手摺取付部に固定された手摺棒によって使用者の歩行動作の補助が可能であると共に、下段手摺取付部に固定された手摺棒によって使用者が座した状態から立ち上がる動作の補助が可能であるため、手摺取付部が一段である場合と比較して、和室における移動や立ち上がりなどの多様な動作を補助することが可能となる。
【００２２】
さらにまた、帯板を、手摺り本体の幅方向両側部の、立設部の上端から敷込部の自由端にかけて重ねて固着することにより、手摺棒が立設部に形成された手摺取付部と帯板とによって前後から保持されるように構成しても好ましい。
【００２３】
ここで帯板を立設部の上端から敷込部の自由端にかけて重ねて固着する際には、必ずしも立設部の上端の端縁、若しくは敷込部の自由端の端縁に、帯板の端縁が正確に一致するように帯板を重ねる場合に限らず、前記上端または前記自由端の付近に帯板の端縁が位置するように重ねられていればよい。
【００２４】
また、帯板は、立設部及び敷込部との重なり部分全体が立設部及び敷込部と密着して固着されている場合に限らず、重なり部分の一部によって固着されていてもよい。したがって、帯板、立設部、又は敷込部の一部を変形させて形成することによって、重なり部分に間隙が生じていても良く、当該間隙に手摺棒を挟み込んで固定するように構成しても好ましい。
【００２５】
手摺棒を、立設部と帯板とによって保持することによって、手摺棒を前後方向から保持することができるため、手摺棒に前後方向に強い力が加わった時にも手摺棒が脱落することを防止することができる。
【００２６】
また、手摺棒が、立設部と帯板との間に保持されることによって、立設部の上部に取り付けてられた手摺棒の取付状態を帯板が補助するため、単純な構造で強固な手摺りを実現することができる。
【考案の効果】
【００２７】
本願考案によれば、従来手摺りを取り付けることが困難だった和室にも容易に手摺りを設置することができ、高齢者等の使用者の動作を和室内においても補助することができる。
【００２８】
また、帯板が立設部及び敷込部にそれぞれ重ねて固着されることにより手摺り本体の強度を十分高めることができるため、使用者は、手摺りを使用する際に安心して体を預けて掴まることで、立ち居を容易に行うことができる。
【図面の簡単な説明】
【００２９】
【図１】第一の実施形態の場合の手摺り１の全体を示す斜視図である。
【図２】手摺り１を和室で使用した状態を示す図である。
【図３】第二の実施形態の場合の腕部１４４を備えた手摺り１０１の全体を示す斜視図である。
【図４】腕部４５を備えた手摺り１０１を中央部で切断したＡ−Ａ縦断面図である。
【図５】腕部１４５を備えた手摺り１０１の全体を示す斜視図である。
【図６】腕部１４５を備えた手摺り１０１を中央部で切断したＢ−Ｂ縦断面図である。
【図７】第三の実施形態の場合の手摺り２０１の全体を示す斜視図である。
【考案を実施するための形態】
【００３０】
以下、本願考案の第一の実施形態について図面を参照しながら詳しく説明する。
【００３１】
本実施形態に係る手摺り１は、図１に示すように、敷込部３及び立設部４とからなる手摺り本体２、帯板５、立設部４の上部４２に形成される手摺取付部４３、及び当該手摺取付部４３に取り付けられる棒体状の手摺棒６とから構成されている。
【００３２】
敷込部３及び立設部４とからなる手摺り本体２は、一枚の板体を直角に屈曲することにより形成されている。前記板体の直角に屈曲された部分は敷込部３を形成する。敷込部３を床板と畳との間に敷き込んで手摺り１を設置することによって、畳が敷込部３を上方から押さえつけるため、使用者が寄りかかるように使用した場合にも手摺り１の転倒を防止することができる。
【００３３】
敷込部３の一端から上方に立設された部分は立設部４を構成する。立設部４は下部４１と上部４２とからなる。
【００３４】
下部４１は敷込部３と連続に接続されると共に、平坦な平板状に形成されており、手摺り１を設置した際に敷込部３から垂直上方に立設するように構成されている。また、下部４１が平坦な平板状に形成されることにより、和室に敷き詰められた畳同士の境界部分に下部４１を容易に挿し込むことができるため、手摺り１を畳の配置を乱すことなく設置することができる。
【００３５】
立設部４の上部４２は、下部４１の上端から上方に連続して形成される。本実施の形態においては、上部４２は、幅方向中央部が下方に切り欠かれた凹状に形成されている。これにより、手摺棒６の中央部の下面が立設部と接触しないように配置することができるため、下方向からでも手摺棒６を把持することができ、より多様な使用者の動作の補助が可能となる。
【００３６】
帯板５は、立設部４及び敷込部３の幅方向両側部に重ねて接着された幅狭の板体であり、立設部４の上端から敷込部３の自由端まで重なるように配置されている。
【００３７】
図２には手摺り１を和室に設置した様子を示している。この図に示すように、本願考案は敷込部３を畳と床板との間に敷き込むことによって和室の中央付近であっても容易に設置することができる。そのため、例えば和室の中央に布団を敷いて就寝するような場合であっても布団のすぐ横に本願考案を設置することによって、布団からの立ち上りの補助をすることができる。
【００３８】
また、帯板５が立設部４及び敷込部３に重ねて接着されることによって、使用者が立設部４の前面方向又は後面方向に体重をかけながら手摺りを把持した場合にも立設部４が変形することを防止することができる。
【００３９】
次に本願考案の第二の実施の形態を説明する。
【００４０】
本実施形態に係る手摺り１０１は、図３に示すように、第一の実施の形態に示した手摺り１の立設部４と同一の構造を有する立設部１０４の上部１４２に上下二段に形成された上段手摺取付部１４３ａと下段手摺取付部１４３ｂとが形成されてなるものである。
【００４１】
なお、敷込部１０３及び帯板１０５は手摺り１と同一の構造に形成されている。
【００４２】
上段手摺取付部１４３ａ及び下段手摺取付部１４３ｂは、棒体状の手摺棒１０６の外面形状に合わせて上方向に開放したＵ字溝状に形成されており、それぞれには棒体状の手摺棒１０６が固定されている。手摺棒１０６はネジ止めにより固定されることが好ましい。
【００４３】
下段手摺取付部１４３ｂは、左右の帯板１０５の前面にそれぞれ固着された腕部１４４の各先端に形成されている。
【００４４】
腕部１４４は、一枚の鋼板からなり、当該鋼板の下半部分に対して屈曲形成された上半部分を備えてなる。腕部１４４の下半部分は帯板５の前面に溶接され、腕部１４４の上半部分が立設部１０４よりも前面方向に延出して形成される。
【００４５】
図４には、腕部１４４を備えた手摺り１０１を中央部で切断したＡ−Ａ縦断面図を示す。
【００４６】
なお、前記腕部１４４に代えて、図５に示すように立設部１０４の上部１４２の幅方向中央部から前面方向に延出して形成された腕部１４５の先端部に下段手摺取付部１４３ｃを形成することとしても良い。腕部１４５は、腕部１４５の下端が上部１４２の幅方向中央部と上下方向に一体に連続して形成され、前面方向に屈曲して形成されることが好ましい。上部１４２の幅方向中央部と一体に形成することによって製造工程を簡略化することができ、製造コストを削減することができるからである。
【００４７】
図６には、腕部１４５を備えた手摺り１０１を中央部で切断したＡ−Ａ縦断面図を示す。
【００４８】
次に本願考案の第三の実施の形態を説明する。
【００４９】
本実施形態に係る手摺り２０１は、図７に示すように、帯板２０５が立設部２０４の上端から敷込部２０３の自由端まで重なるように配置されることによって、上段手摺取付部２４３ａ及び下段手摺取付部２４３ｂに取り付けられた手摺棒２０６に対して、反対側から帯板２０５が保持して手摺棒２０６の取り付けを補助する手摺取付補助部２５１、２５２を構成することができる。
【００５０】
ここで、上段手摺取付部２４３ａ及び手摺取付補助部２５１は、互いに前後方向に離間するように屈曲されると共に、上方に開放し、端面形状が略円弧状となるように形成された溝部２０７を形成している。
【００５１】
一方、下段手摺取付部２４３ｂ及び手摺取付補助部２５２は、前後方向に膨出し、互いに対向する内面形状が略円筒状となるように膨出部２０８を形成している。
【００５２】
このような構成により、前記溝部２０７及び前記膨出部２０８には手摺棒２０６がそれぞれ嵌め込まれて固定される。これにより、手摺棒２０６を把持して使用者が動作の補助に使用することができる。
【符号の説明】
【００５３】
１    手摺り
２    手摺り本体
３    挿込部
４    立設部
４２  上部
４３  手摺取付部
５    帯板
６    手摺棒
【図１】
0003159773.tif 000003
【図２】
0003159773.tif 000004
【図３】
0003159773.tif 000005
【図４】
0003159773.tif 000006
【図５】
0003159773.tif 000007
【図６】
0003159773.tif 000008
【図７】
0003159773.tif 000009